(57)【要約】【課題】従来では対応困難あるいは対応不可な狭隘区間でもケーブルの布設作業を容易に行うことができるようにする。【解決手段】本発明のケーブル吊り上げ器１は、支持台２と、この支持台２から起立する支柱３と、この支柱３の頂部を経由して支柱３に移動可能に取り付けられるとともに、先端側が支柱３の頂部から垂れ下がり、後端側が支柱３を間に挟んで先端側とは反対側に配置されたチェーン４と、このチェーン４の先端部に取り付けられたケーブル抱え込み部材５と、チェーン４の他端側に接続する状態で支柱３に取り付けられ、チェーン４の送り出しおよび引き込みの操作を行う操作機６と、を備える。【選択図】図１
2016152698.tif 000002
【特許請求の範囲】
【請求項１】
ケーブルの吊り上げに用いられるケーブル吊り上げ器であって、
支持台と、
前記支持台から起立する支柱と、
前記支柱の頂部を経由して前記支柱に移動可能に取り付けられるとともに、先端側が前記支柱の頂部から垂れ下がり、後端側が前記支柱を間に挟んで前記先端側とは反対側に配置されたチェーンまたはワイヤと、
前記チェーンまたはワイヤの先端部に取り付けられたケーブル抱え込み部材と、
前記チェーンまたはワイヤの他端側に接続する状態で前記支柱に取り付けられ、前記チェーンまたはワイヤの送り出しおよび引き込みの操作を行う操作機と、
を備えることを特徴とするケーブル吊り上げ器。
【請求項２】
前記支柱の少なくとも頂部に滑車が設けられ、
前記チェーンまたはワイヤは、前記滑車に掛けられている
ことを特徴とする請求項１に記載のケーブル吊り上げ器。
【請求項３】
前記支柱の頂部の高さを調整する高さ調整機構を備える
ことを特徴とする請求項１または２に記載のケーブル吊り上げ器。
【請求項４】
前記支持台に運搬用の車輪が設けられている
ことを特徴とする請求項１〜３のいずれかに記載のケーブル吊り上げ器。
【請求項５】
ケーブル布設場所に固定された構造物に前記支柱を連結可能な連結部材を備える
ことを特徴とする請求項１〜４のいずれかに記載のケーブル吊り上げ器。
【請求項６】
支持台と、前記支持台から起立する支柱と、前記支柱の頂部を経由して前記支柱に移動可能に取り付けられるとともに、先端側が前記支柱の頂部から垂れ下がり、後端側が前記支柱を間に挟んで前記先端側とは反対側に配置されたチェーンまたはワイヤと、前記チェーンまたはワイヤの先端部に取り付けられたケーブル抱え込み部材と、前記チェーンまたはワイヤの他端側に接続する状態で前記支柱に取り付けられ、前記チェーンまたはワイヤの送り出しおよび引き込みの操作を行う操作機と、を備えるケーブル吊り上げ器を用いて、ケーブルを布設するケーブル布設方法であって、
所定の位置に延線されたケーブルを吊り上げる第１工程と、
前記吊り上げたケーブルを収納位置に移す第２工程と、を備え、
前記第１工程では、前記ケーブル抱え込み部材を前記ケーブルに装着するとともに、前記操作機を操作して前記チェーンまたはワイヤを引き込むことにより、前記ケーブルを吊り上げ、
前記第２工程では、前記操作機を操作して前記チェーンまたはワイヤを送り出すことにより、前記ケーブルを前記収納位置に移す
ことを特徴とするケーブル布設方法。
【発明の詳細な説明】
【技術分野】
【０００１】
本発明は、ケーブル吊り上げ器およびケーブル布設方法に関する。
【背景技術】
【０００２】
一般に、地中送電方式では、洞道に電力ケーブルを布設し、この電力ケーブルを通して電力を供給している。洞道に電力ケーブルを布設する場合は、まず、ケーブルの布設経路上に所定の間隔で延線ローラとケーブル支持金物を設置する。次に、延線ローラの上にケーブルを乗せるようにして、ウィンチ等によりケーブルを洞道の奥側に引き込むことにより、ケーブルを延線する。次に、延線ローラの上方にケーブルを持ち上げた後、ケーブル支持金物の上にケーブルを乗せて収納する。
【０００３】
洞道に布設される電力ケーブルのなかには、１ｍあたりの質量が２０〜３０ｋｇと非常に重いものがある。このように質量の大きいケーブルは人力で持ち上げることが難しい。そこで従来においては、延線ローラからケーブルを持ち上げるのにケーブル吊り上げ治具が用いられている。
【０００４】
以下に、従来のケーブル吊り上げ治具とこれを用いたケーブル布設方法について、図８および図９を用いて説明する。
【０００５】
図８においては、洞道５０内に延線ローラ５１とケーブル支持金物５２とが設置されている。延線ローラ５１とケーブル支持金物５２は、洞道５０の側壁面に固定された立金物５３に取り付けられている。また、延線ローラ５１は、ケーブル支持金物５２の上方（真上）に配置されている。このような配置状態のもとで、ケーブル５４は、延線ローラ５１の上に乗せて延線されている。
【０００６】
上述のように延線されたケーブル５４を延線ローラ５１からケーブル支持金物５２に移載する場合は、図９に示すように、延線ローラ５１の上方にケーブル吊り上げ治具５５を取り付ける。ケーブル吊り上げ治具５５は、立金物５３に固定される支持金物５６と、この支持金物５６に吊り下げられた荷役機械５７と、この荷役機械５７から垂れ下がるチェーン５８と、このチェーン５８の先端部のフック５９につながれたナイロンスリング６０と、を備えた構成になっている。
【０００７】
実際にケーブル５４を延線ローラ５１からケーブル支持金物５２に移す場合は、まず、上述したとおり延線ローラ５１の上方にケーブル吊り上げ治具５５を取り付ける。次に、ケーブル５４にナイロンスリング６０を装着するとともに、このナイロンスリング６０をフック５９に取り付ける。次に、チェーン５８を引き込むように荷役機械５７を操作することにより、延線ローラ５１からケーブル５４を吊り上げる。次に、延線ローラ５１を立金物５３から取り外す。このとき、延線ローラ５１に付設している一対のガイドピン６１も取り外す。次に、チェーン５８を送り出すように荷役機械５７を操作することにより、ケーブル５４をケーブル支持金物５２の上に乗せる。次に、立金物５３からケーブル吊り上げ治具５５を取り外す。
以上の作業を、ケーブル延線方向で延線ローラ５１が設置されている箇所ごとに行うことにより、最終的にケーブル５４をケーブル支持金物５２に収納する。
【発明の概要】
【発明が解決しようとする課題】
【０００８】
ところで、既存の洞道５０にケーブル５４を布設する場合、たとえばケーブル５４を収納しようとするケーブル支持金物５２の上方に、これとは別のケーブル支持金物が存在し、これによって作業スペースが制約された狭隘区間に対応しなけばならないことがある。このような狭隘区間では、ケーブル支持金物５２の上方にケーブル５４を吊り上げるための十分なスペースを確保できないことが多い。
【０００９】
従来のケーブル吊り上げ治具５５では、延線ローラ５１の上方に支持金物５６を取り付けるとともに、この支持金物５６に荷役機械５７を取り付けて、そこからチェーン５８を垂らした構成になっている。このため、延線ローラ５１からケーブル５４を吊り上げるときに、ケーブル５４の直上に荷役機械５７が存在することになる。したがって、上述した狭隘区間でケーブル吊り上げ治具５５を使用する場合に、荷役機械５７が邪魔になってケーブル５４を所望の高さまで吊り上げることができないことがあった。
【００１０】
本発明の主な目的は、従来では対応困難あるいは対応不可な狭隘区間でもケーブルの布設作業を容易に行うことができる技術を提供することにある。
【課題を解決するための手段】
【００１１】
本発明の第１の態様は、
ケーブルの吊り上げに用いられるケーブル吊り上げ器であって、
支持台と、
前記支持台から起立する支柱と、
前記支柱の頂部を経由して前記支柱に移動可能に取り付けられるとともに、先端側が前記支柱の頂部から垂れ下がり、後端側が前記支柱を間に挟んで前記先端側とは反対側に配置されたチェーンまたはワイヤと、
前記チェーンまたはワイヤの先端部に取り付けられたケーブル抱え込み部材と、
前記チェーンまたはワイヤの他端側に接続する状態で前記支柱に取り付けられ、前記チェーンまたはワイヤの送り出しおよび引き込みの操作を行う操作機と、
を備えることを特徴とするケーブル吊り上げ器である。
【００１２】
本発明の第２の態様は、
支持台と、前記支持台から起立する支柱と、前記支柱の頂部を経由して前記支柱に移動可能に取り付けられるとともに、先端側が前記支柱の頂部から垂れ下がり、後端側が前記支柱を間に挟んで前記先端側とは反対側に配置されたチェーンまたはワイヤと、前記チェーンまたはワイヤの先端部に取り付けられたケーブル抱え込み部材と、前記チェーンまたはワイヤの他端側に接続する状態で前記支柱に取り付けられ、前記チェーンまたはワイヤの送り出しおよび引き込みの操作を行う操作機と、を備えるケーブル吊り上げ器を用いて、ケーブルを布設するケーブル布設方法であって、
所定の位置に延線されたケーブルを吊り上げる第１工程と、
前記吊り上げたケーブルを収納位置に移す第２工程と、を備え、
前記第１工程では、前記ケーブル抱え込み部材を前記ケーブルに装着するとともに、前記操作機を操作して前記チェーンまたはワイヤを引き込むことにより、前記ケーブルを吊り上げ、
前記第２工程では、前記操作機を操作して前記チェーンまたはワイヤを送り出すことにより、前記ケーブルを前記収納位置に移す
ことを特徴とするケーブル布設方法である。
【発明の効果】
【００１３】
本発明によれば、従来では対応困難あるいは対応不可な狭隘区間でもケーブルの布設作業を容易に行うことができる。
【図面の簡単な説明】
【００１４】
【図１】本発明の実施形態に係るケーブル吊り上げ器の構成例を示す正面図である。
【図２】床面に対する車輪の配置状態を説明する図であり、図中（Ａ）は床面から車輪が離れた状態、（Ｂ）は床面に車輪が接触した状態を示している。
【図３】ケーブル吊り上げ器の使用前の状態を示す図である。
【図４】ケーブル吊り上げ器の使用時の状態を示す図である。
【図５】本発明の実施形態に係るケーブル布設方法を説明する図（その１）である。
【図６】本発明の実施形態に係るケーブル布設方法を説明する図（その２）である。
【図７】本発明の実施形態に係るケーブル布設方法を説明する図（その３）である。
【図８】従来のケーブル布設方法を説明する図（その１）である。
【図９】従来のケーブル布設方法を説明する図（その２）である。
【発明を実施するための形態】
【００１５】
以下、本発明の実施の形態について図面を参照しつつ詳細に説明する。
本発明の実施形態においては、ケーブルの布設現場が地下の洞道である場合を例に挙げて説明する。ただし、本発明はこれに限らず、たとえば、地上の屋内施設や屋外施設などにケーブルを布設する場合にも適用可能である。また、布設の対象となるケーブルとしては、たとえばＣＶ（架橋ポリエチレン絶縁ビニルシース）ケーブルなどの電力ケーブルを挙げることができる。電力ケーブルには、単芯のＣＶケーブルのほかに、単芯のＣＶケーブルを複数本撚り合わせたものがある。具体的には、単芯のＣＶケーブルを２本撚り合わせたＣＶＤケーブル、単芯のＣＶケーブルを３本撚り合わせたＣＶＴケーブル、単芯のＣＶケーブルを４本撚り合わせたＣＶＱケーブルなどがある。本発明は、いずれのタイプのケーブルを布設する場合にも適用可能である。
【００１６】
＜ケーブル吊り上げ器＞
図１は本発明の実施形態に係るケーブル吊り上げ器の構成例を示す正面図である。
以降の説明では、ケーブル吊り上げ器１の各部の位置関係を明確にするために、ケーブル吊り上げ器１の高さ方向（上下方向）をＺ方向とし、このＺ方向と直交する水平二軸方向のうち一方をＸ方向、他方をＹ方向とする。洞道にケーブル吊り上げ器１を設置する場合は、Ｘ方向が洞道の幅方向、Ｙ方向が洞道の長さ方向、Ｚ方向が洞道の高さ方向に対応する。
【００１７】
図示したケーブル吊り上げ器１は、支持台２と、この支持台２から起立する支柱３と、この支柱３に取り付けられたチェーン４と、このチェーン４の先端部に取り付けられたケーブル抱え込み部材５と、チェーン４の送り出しおよび引き込みの操作を行うために支柱３に取り付けられた操作機６と、支柱３を所定の構造物（後述）に連結するための連結部材７と、を備えた構成になっている。
【００１８】
（支持台）
支持台２は、ケーブルの布設現場となる洞道にケーブル吊り上げ器１を設置する場合に、洞道の床面に載置されるものである。このため、支持台２は、ケーブル吊り上げ器１の最下部に配置されている。支持台２は、幅の狭い洞道のなかでもケーブル吊り上げ器１を移動できるように、Ｘ方向の寸法が短くなっている。また、支持台２は、ケーブル吊り上げ器１全体を安定して支えられるように、Ｙ方向の寸法がＸ方向の寸法に比べて十分に長く確保されている。たとえば、支持台２の寸法として、Ｘ方向の寸法が２００ｍｍ程度であるとすると、Ｙ方向の寸法はその２倍以上の５００ｍｍ程度確保される。
【００１９】
支持台２には運搬用の車輪８が設けられている。車輪８は、ケーブル吊り上げ器１を運搬するときに用いられるものである。車輪８は、支持台２に回転自在に取り付けられている。車輪８は、Ｘ方向に対をなして配置され、Ｙ方向では一方端側に寄せて配置されている。そして、洞道の床面９に対する車輪８の配置状態は、図２（Ａ），（Ｂ）に示すように変化するようになっている。すなわち、ケーブル吊り上げ器１を設置すべく支柱３をまっすぐに立てた状態では、図２（Ａ）に示すように、支持台２が床面９に接触し、かつ、車輪８が床面９から離れた状態で配置される。また、ケーブル吊り上げ器１を運搬すべく支柱３を斜めに傾けた状態では、図２（Ｂ）に示すように、支持台２が床面９から離れ、かつ、車輪８が床面９に接触した状態で配置される。なお、図中の符号２ａは、車輪８を床面９に接触させるために支持台２に形成した逃げ部（切り欠き部）である。
【００２０】
（支柱）
支柱３は、縦柱部１１と、横柱部１２とを有している。縦柱部１１と横柱部１２は、たとえば溶接、あるいはボルトとナットにより、互いに一体的に固定されている。縦柱部１１は、支持台２から垂直に起立している。横柱部１２は、縦柱部１１の最上部に水平な向きで設けられている。このため、支柱３は全体として略Ｌ字形（またはＴ字形でもよい）に形成されている。
【００２１】
また、支柱３は、その頂部の高さを調整できるように、縦柱部１１が伸縮可能な構造になっている。具体的には、支柱３の頂部の高さを調整する機構（以降、「高さ調整機構」という。）としては、種々の構成が考えられるが、本実施形態では、次のような構成を採用している。
まず、縦柱部１１は、横断面が四角形の角筒状に形成されている。また、縦柱部１１は、内側の角筒部１１ａと外側の角筒部１１ｂとを互いに嵌合させて組み合わせた、いわゆる二重管構造になっている。角筒部１１ａの下端部は、支持台２に固定されている。角筒部１１ｂは、角筒部１１ａに嵌合され、この嵌合状態で角筒部１１ｂが角筒部１１ａをガイドにしてＺ方向に移動（スライド）可能になっている。また、各々の角筒部１１ａ，１１ｂには、長さ方向（Ｚ方向）に所定の間隔をあけて複数の貫通孔（不図示）が形成されている。各々の貫通孔には、図示しないストッパーを着脱可能になっている。ストッパーは、支柱３を所望の高さに調整した状態で、Ｚ方向への角筒部１１ｂの移動を阻止するものである。ストッパーとしては、たとえば、角筒部１１ａ,１１ｂに設けた各々の貫通孔に対して抜き差し自在なボルトと、このボルトに螺合するナットとを組み合わせたものを用いることができる。
【００２２】
上記構成からなる高さ調整機構によって支柱３の頂部の高さを調整する場合は、まず、上述したストッパーを取り外す。次に、支柱３の頂部の高さが所望の高さになるように、角筒部１１ａの貫通孔と角筒部１１ｂの貫通孔の孔位置をあわせる。次に、ストッパーを取り付ける。このストッパーをボルトとナットで構成した場合は、角筒部１１ａ，１１ｂの各貫通孔にボルトを挿入した後、ボルトにナットを装着して締め付ける。これにより、支柱３の頂部の高さを所望の高さに調整することができる。
【００２３】
なお、ケーブル吊り上げ器１の全高は、ケーブルの布設現場となる洞道の大きさにもよるが、たとえば、ケーブル吊り上げ器１を運搬（たとえば、洞道内で移動）するときは１５００ｍｍ程度に調整され（図１参照）、ケーブル吊り上げ器１を洞道内で使用するときは２５００ｍｍ程度に調整される（図３および図４参照）。ケーブル吊り上げ器１の全高は、上述した高さ調整機構により調整可能である。高さ調整機構の調整可能寸法は最大で３０００ｍｍ程度確保するとよい。この場合は、ケーブル吊り上げ器１の全高を２０００ｍｍ〜３０００ｍｍの範囲で調整可能となる。
【００２４】
（チェーン）
チェーン４は、支柱３に移動可能に取り付けられている。チェーン４の移動とは、チェーン４が自身の長さ方向に移動することをいう。また、チェーン４の長さ方向においては、支柱３の頂部を境にして、ケーブル抱え込み部材５が取り付けられる側をチェーン４の先端側、操作機６に接続される側をチェーン４の後端側とする。支柱３にはチェーン４を取り付けるために複数（図例では３つ）の滑車１３ａ，１３ｂ，１３ｃがそれぞれ回転自在に取り付けられている。チェーン４の先端側は、支柱３の頂部に配置された滑車１３ａからまっすぐに垂れ下がっている。
【００２５】
上記複数の滑車１３ａ，１３ｂ，１３ｃのうち、２つの滑車１３ａ，１３ｂは、水平方向（Ｘ方向）に位置をずらして支柱３の頂部に配置されている。具体的には、滑車１３ａが横柱部１２の先端部に取り付けられ、滑車１３ｂが横柱部１２の基部又は当該基部が固定された縦柱部１１（角筒部１１ｂ）の上端部に取り付けられている。このように２つの滑車１３ａ，１３ｂを水平方向に位置をずらして配置する理由の一つは、ケーブル吊り上げ器１を用いてケーブルを吊り上げる場合に、ケーブルが支柱３の縦柱部１１に干渉（接触）しないようにするためである。
【００２６】
チェーン４の先端側に位置する滑車１３ａは、チェーン４の後端側に位置する滑車１３ｂよりも上方に配置されている。滑車１３ｃは、支柱３の角筒部１１ｂに取り付けられている。滑車１３ｃは、滑車１３ａ，１３ｂよりも下方に配置されている。また、滑車１３ｃは、他の滑車１３ａ，１３ｂよりも小径になっている。
【００２７】
チェーン４は、上述した３つの滑車１３ａ〜１３ｃを用いて、支柱３の頂部を経由するように略逆Ｕ字形に取り付けられている。このため、チェーン４の先端側と後端側は、支柱３を間に挟んで互いに反対側に配置されている。また、チェーン４は、滑車１３ａの外側と、滑車１３ｂの外側と、滑車１３ｃの内側とに順に掛けられている。滑車１３ａと滑車１３ｂの間では、それらの高低差に応じてチェーン４が斜めに掛け渡されている。また、滑車１３ｂと滑車１３ｃとの間では、滑車１３ｂから滑車１３ｃに向かってチェーン４が支柱３に徐々に近づくように掛け渡されている。
【００２８】
（ケーブル抱え込み部材）
ケーブル抱え込み部材５は、ケーブルを吊り上げる場合に、ケーブルを抱え込むようにして支持するものである。ケーブル抱え込み部材５は、たとえば、ナイロンスリングを用いて構成することができる。チェーン４の先端部にはフック１４が装着されており、このフック１４を用いてケーブル抱え込み部材５がチェーン４の先端部に取り付けられている。ケーブル抱え込み部材５は、輪を作るようにしてチェーン４の先端部（フック１４）から吊り下がっている。
【００２９】
（操作機）
操作機６は、支柱３の角筒部１１ｂに取り付けられている。操作機６は、チェーン４の後端側の配置にあわせて、滑車１３ｃと同じ側で支柱３に取り付けられている。操作機６には、チェーン４の後端側が接続されている。操作機６は、荷役機械を用いて構成することができる。この荷役機械として、たとえばレバーブロック（登録商標）を用いた場合は、上述したチェーン４とフック１４がレバーブロックに付属する部材ともなる。操作機６は、操作ハンドル１５と、切り替えレバー１６とを備えている。操作ハンドル１５は、チェーン４の送り出しおよび引き込みの操作を手動で行うためのものである。操作ハンドル１５は、一端を支点に回転操作されるものである。操作ハンドル１５の支点は、作業者が操作ハンドル１５を握る側とは反対側の端部に設けられている。実際に作業者が操作ハンドル１５を握って操作すると、これにしたがって操作機６ではチェーン４の送り出しまたは引き込みが行われる。切り替えレバー１６は、操作ハンドル１５を操作したときに、チェーン４が送り出されるか引き込まれるかを切り替えるものである。ここでは一例として、切り替えレバー１６による切り替えが少なくとも２つあるものとする。そして、切り替えレバー１６を第１の切り替え位置に合わせて操作ハンドル１５を操作したときはチェーン４の送り出しが行われ、切り替えレバー１６を第２の切り替え位置に合わせて操作ハンドル１５を操作したときはチェーン４の引き込みが行われるものとする。
【００３０】
（連結部材）
連結部材７は、支持台２に設けられた収納部１７に収納されている。収納部１７は、支柱３と並ぶように支持台２に垂直に立てて設けられている。収納部１７は、たとえば筒状に形成され、この筒内に連結部材７を差し込むことにより、連結部材７が収納部１７に収納されるようになっている。
【００３１】
連結部材７は、たとえば、鋼材からなるもので、連結バー７ａと固定片７ｂを一体に備えている。連結バー７ａには図示しない連結用の孔７ｃ（図４を参照）が３つ並んで設けられ、固定片７ｂには固定用の孔７ｄが設けられている。ケーブル吊り上げ器１を洞道内に設置して使用する場合は、収納部１７から連結部材７を取り出して、固定片７ｂを支柱３に固定する（図４を参照）。支柱３には、連結部材７を取り付けるための孔が設けられ、この孔に固定片７ｂの孔７ｄを位置合わせして、図示しないボルトとナットで固定片７ｂを支柱３に固定可能になっている。
【００３２】
上記構成からなるケーブル吊り上げ器１においては、操作機６の切り替えレバー１６を第１の切り替え位置に合わせて操作ハンドル１５を操作すると、チェーン４が操作機６から送り出される。このため、チェーン４の送り出しにしたがってフック１４と一緒にケーブル抱え込み部材５が下降する。また、操作機６の切り替えレバー１６を第２の切り替え位置に合わせて操作ハンドル１５を操作すると、チェーン４が操作機６によって引き込まれる。このため、チェーン４の引き込みにしたがってフック１４と一緒にケーブル抱え込み部材５が上昇する。
【００３３】
＜ケーブル布設方法＞
次に、本発明の実施形態に係るケーブル布設方法について、図５〜図７を用いて説明する。
【００３４】
まず、図５に示すように、ケーブル布設現場となる洞道２０の所定の場所に延線ローラ２１とケーブル支持金物２２ａを取り付ける。延線ローラ２１の設置方法にはいくつかあるが、ここでは一例として、最終的にケーブル２３が収納されるケーブル支持金物２２ａの脇に延線ローラ２１を取り付けるものとする。ケーブル支持金物２２ａは、洞道２０の側壁に固定された立金物２４に取り付けられている。ケーブル支持金物２２ａの上方および下方には、すでにケーブルが収納された別のケーブル支持金物２２ｂ，２２ｃが取り付けられている。
【００３５】
次に、延線ローラ２１の上にケーブル２３を乗せてウィンチ等によりケーブル２３を所定の長さにわたって延線する。次に、洞道２０内でケーブル吊り上げ器１を移動（運搬）する。ケーブル２３の延線とケーブル吊り上げ器１の移動は、どちらを先に行ってもよいし、同時進行で行ってもよい。ケーブル吊り上げ器１の移動は、ケーブル吊り上げ器１の全高を最も低くした状態（図１参照）で行う。また、洞道２０内でケーブル吊り上げ器１を移動する場合は、ケーブル吊り上げ器１全体を引き倒すようにして支柱３を斜めに傾ける。そうすると、上記図２（Ｂ）に示すように、支持台２が床面９から離れて、車輪８だけが床面９に接触するため、その状態でケーブル吊り上げ器１を移動させる。これにより、ケーブル吊り上げ器１の移動にしたがって車輪８が回転する。このため、ケーブル吊り上げ器１を容易に運搬することができる。
【００３６】
次に、ケーブル吊り上げ器１を延線ローラ２１の近くまで移動させたら、そこでケーブル吊り上げ器１全体を起こすようにして支柱３をまっすぐに立てることにより、ケーブル吊り上げ器１を設置する。そうすると、上記図２（Ａ）に示すように、車輪８が床面９から離れて、支持台２が床面９に載置される。次に、ケーブル２３の延線に用いた延線ローラ２１の高さ（延線位置）にあわせて、支柱３の頂部の高さを上記高さ調整機構により調整する。次に、収納部１７から連結部材７を取り出して、支柱３とケーブル支持金物２２ｃとを連結部材７によって連結する。具体的には、連結部材７の固定片７ｂを支柱３に固定するとともに、連結バー７ａをケーブル支持金物２２ｃに固定する。このとき、連結バー７ａは、支柱３と直角をなして水平に配置される。これにより、支柱３の揺れ（振れ）が抑制される。
【００３７】
次に、図６に示すように、ケーブル抱え込み部材５をケーブル２３に装着する。このとき、ケーブル２３の下側の外周面にケーブル抱え込み部材５を巻き付ける。また、ケーブル抱え込み部材５をチェーン４先端部のフック１４に取り付ける。これにより、ケーブル２３は、ケーブル抱え込み部材５に抱え込まれたかたちで支持される。
【００３８】
次に、図７に示すように、ケーブル２３を延線ローラ２１の上方に吊り上げる。ケーブル２３を吊り上げる場合は、操作機６の切り替えレバー１６を第２の切り替え位置に合わせた状態で操作ハンドル１５を操作する。そうすると、操作機６によってチェーン４が引き込まれる。このため、ケーブル抱え込み部材５に支持されたケーブル２３は、チェーン４の引き込み量に応じて吊り上げられる。
【００３９】
次に、ケーブル２３をケーブル支持金物２２ａに収納する。具体的には、たとえば上記図７に示すように、ケーブル２３を吊り上げたまま、ケーブル支持金物２２ａの上にガイド板２５を斜めに置く。このとき、ケーブル２３の下にガイド板２５の高位側を配置する。また、延線ローラ２１とケーブル支持金物２２ａの間に存在するガイドピン２８を取り外しておく。次に、操作機６の切り替えレバー１６を第１の切り替え位置に合わせた状態で操作ハンドル１５を操作する。そうすると、操作機６によってチェーン４が送り出される。このため、ケーブル抱え込み部材５に支持されたケーブル２３は、ガイド板２５の傾斜にしたがってケーブル支持金物２２ａの上に移動する。これにより、ケーブル２３がケーブル支持金物２２ａに収納される。
【００４０】
なお、ガイド板２５を使用してケーブル２３を移動させる場合は、上記図７に示すように、作業者２６が脚立２７に乗ってケーブル２３の移動を補助してもよい。ガイド板２５は、ケーブル２３をケーブル支持金物２２ａの上に乗せた段階で取り除かれる。また、連結部材７は、ケーブル支持金物２２ｃから取り外されて収納部１７に収納される。
以上の作業をケーブルの延線方向で延線ローラ２１が設置されている箇所ごとに行うことにより、最終的にケーブル２３をケーブル支持金物２２ａに収納する。
【００４１】
＜実施形態の効果＞
本実施の形態によれば、以下に示す１つまたは複数の効果が得られる。
【００４２】
（１）本実施形態においては、チェーン４の先端側を支柱３の頂部から直接垂らしてチェーン４の先端部にケーブル抱え込み部材５を取り付けるとともに、支柱３を間に挟んでチェーン４の後端側をチェーン４の先端側とは反対側に配置している。そして、滑車１３ｃと同じ側で支柱３に操作機６を取り付け、この操作機６にチェーン４の後端側を接続している。このため、従来のように支持金物に荷役機械を取り付けて、そこからチェーンを垂らした構成に比べて、ケーブルの吊り上げに必要な高さ方向の寸法を小さくすることができる。したがって、従来では対応困難あるいは対応不可な狭隘区間でもケーブルの布設作業を容易に行うことが可能となる。
【００４３】
（２）本実施形態においては、支柱３に合計３つの滑車１３ａ〜１３ｃを取り付け、これらの滑車１３ａ〜１３ｃにチェーン４を掛け渡している。このため、操作機６の操作ハンドル１５を操作したときに、チェーン４をスムーズに移動させることができる。
また、本実施形態においては、支柱３の頂部に水平方向に位置をずらして２つの滑車１３ａ，１３ｂを配置している。このため、ケーブル２３を吊り上げるときにケーブル吊り上げ器１全体の質量バランスが良くなる。また、支柱３の頂部に適度な高低差をつけて２つの滑車１３ａ，１３ｂを配置しているため、ケーブル吊り上げ器１の質量バランスがさらに良好になる。
【００４４】
（３）また、従来においては、延線ローラの上方にケーブル吊り上げ器を据え付けたり、ケーブルをケーブル支持金物に移し替えた後に、ケーブル吊り上げ器を撤去するという面倒な作業が必要になるが、本実施形態では、そうした面倒な作業が不要になる。具体的には、延線ローラ２１の近くにケーブル吊り上げ器１を移動するだけで、ケーブル吊り上げ器１の据え付け作業がほとんど完了し、ケーブル２３をケーブル支持金物２２ａに移し替えた後も、ケーブル吊り上げ器１を移動させるだけで済む。このため、ケーブルの布設作業を効率よく進め、布設完了までの所要日数を削減することが可能となる。
実際にケーブル吊り上げ器１を製造して使用してみたところ、従来工法では１日に布設可能なケーブル長が３００ｍであったものが、ケーブル吊り上げ器１を使用すると、１日の４００ｍのケーブル布設が可能になった。これにより、たとえば洞道内にケーブルを２０００ｍにわたって布設する場合は、従来工法では６〜７日ほどかかるところ、ケーブル吊り上げ器１を使用すれば５日で布設工事を完了させることが可能となる。
【００４５】
（４）本実施形態においては、支柱３の頂部の高さを調整する高さ調整機構を備えている。このため、ケーブル２３の延線に用いる延線ローラ２１の取り付け高さや、ケーブル２３が収納されるケーブル支持金物２２ａの取り付け高さにあわせて、支柱３の頂部の高さを変更することができる。
【００４６】
（５）本実施形態においては、支持台２に運搬用の車輪８を取り付けているため、洞道２０内でケーブル吊り上げ器１を容易に移動させることができる。この効果は、洞道２０以外の場所でケーブル吊り上げ器１を移動させる場合にも同様に得られる。
【００４７】
（６）本実施形態においては、支柱３をまっすぐに立てた状態では車輪８が床面９から離間し、支柱３を斜めに傾けた状態では車輪８が床面９に接触する構成になっている。このため、洞道２０の床面９にケーブル吊り上げ器１を設置する場合は、支持台２を床面９に載せてケーブル吊り上げ器１全体を安定的に支持することができる。また、ケーブル吊り上げ器１を運搬する場合は、ケーブル吊り上げ器１全体を倒すだけで床面９も車輪８を接触させることができる。
【００４８】
（７）本実施形態においては、洞道２０の床面９にケーブル吊り上げ器１を設置する場合に、支持台２から起立する支柱３をケーブル支持金物２２ｃに連結可能な連結部材７を備えている。このため、ケーブル支持金物２２ｃを利用して支柱３の揺れ（振れ）を抑制することができる。また、ケーブルの布設作業中に地震などが発生した場合でも、支柱３をケーブル支持金物２２ｃに連結しておけば、ケーブル吊り上げ器１の転倒を抑制することができる。
【００４９】
＜変形例等＞
本発明の技術的範囲は上述した実施の形態に限定されるものではなく、発明の構成要件やその組み合わせによって得られる特定の効果を導き出せる範囲において、種々の変更や改良を加えた形態も含む。
【００５０】
たとえば、上記実施形態では、ケーブル支持金物２２ａの脇に延線ローラ２１を取り付けた場合について説明したが、本発明はこれに限らず、たとえばケーブル支持金物の上方に延線ローラを取り付け、この延線ローラからケーブルを吊り上げた後、延線ローラを取り外して、ケーブルを降ろしてケーブル支持金物に移す場合にも適用可能である。
【００５１】
また、上記実施形態では、支柱３に複数の滑車１３ａ〜１３ｃを取り付け、これらの滑車１３ａ〜１３ｃにチェーン４を掛け渡すようにしたが、本発明はこれに限らず、たとえば、支柱３の適所にＵ字形の案内溝を形成し、この案内溝によってチェーンを移動可能に支持する構成であってもよい。
【００５２】
また、上記実施形態では、支柱３にチェーン４を取り付けた構成としたが、本発明はこれに限らず、チェーン４に代えてワイヤ（不図示）を取り付けてもよい。また、チェーン４またはワイヤの先端部に、フック１４以外の係止部材を用いてケーブル抱え込み部材５を取り付けてもよく、あるいはそのような係止部材を介することなく直接、ケーブル抱え込み部材５を取り付けてもよい。
【００５３】
また、上記実施形態では、連結部材７を用いて支柱３をケーブル支持金物２２ｃに連結したが、連結部材７で支柱３を連結する対象は、ケーブル布設場所に固定される構造物であれば、ケーブル支持金物以外の構造物（たとえば、立金物など）であってもよい。
【００５４】
以下に、本発明の好ましい態様を付記する。
（付記１）
ケーブルの吊り上げに用いられるケーブル吊り上げ器であって、
支持台と、
前記支持台から起立する支柱と、
前記支柱の頂部を経由して前記支柱に移動可能に取り付けられるとともに、先端側が前記支柱の頂部から垂れ下がり、後端側が前記支柱を間に挟んで前記先端側とは反対側に配置されたチェーンまたはワイヤと、
前記チェーンまたはワイヤの先端部に取り付けられたケーブル抱え込み部材と、
前記チェーンまたはワイヤの他端側に接続する状態で前記支柱に取り付けられ、前記チェーンまたはワイヤの送り出しおよび引き込みの操作を行う操作機と、
を備えることを特徴とするケーブル吊り上げ器。
（付記２）
前記支柱の少なくとも頂部に滑車が設けられ、
前記チェーンまたはワイヤは、前記滑車に掛けられている
ことを特徴とする付記１に記載のケーブル吊り上げ器。
（付記３）
前記支柱の頂部に設けられた滑車は、水平方向に位置をずらして配置された２つの滑車を含む
ことを特徴とする付記２に記載のケーブル吊り上げ器。
（付記４）
前記２つの滑車のうち、前記チェーンまたはワイヤの先端側に位置する滑車は前記チェーンまたはワイヤの後端側に位置する滑車よりも上方に配置されている
ことを特徴とする付記３に記載のケーブル吊り上げ器。
（付記５）
前記支柱の頂部の高さを調整する高さ調整機構を備える
ことを特徴とする付記１〜４のいずれかに記載のケーブル吊り上げ器。
（付記６）
前記支持台に運搬用の車輪が設けられている
ことを特徴とする付記１〜５のいずれかに記載のケーブル吊り上げ器。
（付記７）
前記車輪は、前記支柱を立てた状態ではケーブル吊り上げ器の設置面から離間し、前記支柱を傾けた状態では前記設置面に接触するように配置されている
ことを特徴とする付記６に記載のケーブル吊り上げ器。
（付記８）
ケーブル布設場所に固定された構造物に前記支柱を連結可能な連結部材を備える
ことを特徴とする付記１〜７のいずれかに記載のケーブル吊り上げ器。
（付記９）
前記連結部材を収納する収納部を有する
ことを特徴とする付記８に記載のケーブル吊り上げ器。
（付記１０）
支持台と、前記支持台から起立する支柱と、前記支柱の頂部を経由して前記支柱に移動可能に取り付けられるとともに、先端側が前記支柱の頂部から垂れ下がり、後端側が前記支柱を間に挟んで前記先端側とは反対側に配置されたチェーンまたはワイヤと、前記チェーンまたはワイヤの先端部に取り付けられたケーブル抱え込み部材と、前記チェーンまたはワイヤの他端側に接続する状態で前記支柱に取り付けられ、前記チェーンまたはワイヤの送り出しおよび引き込みの操作を行う操作機と、を備えるケーブル吊り上げ器を用いて、ケーブルを布設するケーブル布設方法であって、
所定の位置に延線されたケーブルを吊り上げる第１工程と、
前記吊り上げたケーブルを収納位置に移す第２工程と、を備え、
前記第１工程では、前記ケーブル抱え込み部材を前記ケーブルに装着するとともに、前記操作機を操作して前記チェーンまたはワイヤを引き込むことにより、前記ケーブルを吊り上げ、
前記第２工程では、前記操作機を操作して前記チェーンまたはワイヤを送り出すことにより、前記ケーブルを前記収納位置に移す
ことを特徴とするケーブル布設方法。
【符号の説明】
【００５５】
１…ケーブル吊り上げ器
２…支持台
３…支柱
４…チェーン
５…ケーブル抱え込み部材
６…操作機
７…連結部材
８…車輪
９…床面
１３ａ〜１３ｃ…滑車
２１…延線ローラ
２２ａ〜２２ｃ…ケーブル支持金物
２３…ケーブル
【図１】
2016152698.tif 000003
【図２】
2016152698.tif 000004
【図３】
2016152698.tif 000005
【図４】
2016152698.tif 000006
【図５】
2016152698.tif 000007
【図６】
2016152698.tif 000008
【図７】
2016152698.tif 000009
【図８】
2016152698.tif 000010
【図９】
2016152698.tif 000011